(57)【特許請求の範囲】
【請求項１】
制御部１０；
ゼロガス（汚染物質を除去したガス、以下ゼロガス）供給源２１と前記ゼロガス供給源２１から供給されるゼロガスの流量を調節するための流量調節バルブ２２とゼロガス供給管２３を含むゼロガス供給部２０；
前記ゼロガス供給部２１のゼロガスを受けるチャンバー部３０；
前記チャンバー部３０の外側に設けられ、チャンバー部３０を取り囲む形態に形成される本体部４０；
前記チャンバー部３０の内部に挿入及び脱着可能に形成され、ゼロガス供給部２０のゼロガスを受けることができるように連結され、内側に製品試料が挿入される製品試料挿入部５１の内部に製品試料装着部５２が形成された上部の開放したライナー本体５３を備え、前記ライナー本体５３の上部にはライナーカバー５４が結合されたライナー５０；及び
前記本体部４０に結合され、チャンバー部３０に連結され、ライナー５０を通過する有害物質を含むゼロガスを受けて有害ガス量を測定するための吸収液が収納された吸水管または吸着剤が収納された吸着管のいずれか一つからなった試料捕集部６０；を含んでなることを特徴とする、製品の汚染物質放出実験チャンバー装置。
【請求項２】
前記制御部１０は、ゼロガス供給部２０からチャンバー部３０に供給されるゼロガスを除湿、予熱及び流量調節バルブ２２の制御によって流量調節することができるように制御ボタン１１を含むことを特徴とする、請求項１に記載の製品の汚染物質放出実験チャンバー装置。
【請求項３】
前記本体部４０は上下部本体４１、４２から構成され、前記本体部４０に形成されるチャンバー部３０及び試料捕集部６０もそれぞれ上下部チャンバー３１、３２と上下部試料捕集部６１、６２から構成され、下部本体４２に形成された下部チャンバー３２とゼロガス供給部２０のゼロガス供給管２３を連結してゼロガスをライナー６０に供給するように構成され、
前記上部本体４１と上部試料捕集部６１が連結されることで、ライナー５０を通過した有害物質を含んでいるゼロガスを受けることができるように構成されることを特徴とする、請求項１に記載の製品の汚染物質放出実験チャンバー装置。
【請求項４】
前記本体部４０の上部本体４１は、チャンバー部３０の上下部チャンバー３１、３２にライナー５０を挿入及び脱着することができるように制御部１０とスライド手段Ｓによって上下方向に移動することができるように構成されることを特徴とする、請求項３に記載の製品の汚染物質放出実験チャンバー装置。
【請求項５】
前記本体部４０の上下部本体４１、４２に結合されるチャンバー部３０の上下部チャンバー３１、３２の間と試料捕集部６０の上下部試料捕集部６１、６２の間にはテフロン（登録商標）素材のシーリング材７０をさらに含んでなることを特徴とする、請求項３に記載の製品の汚染物質放出実験チャンバー装置。
【請求項６】
本体部４０の上部本体４１と試料捕集部６０の上部試料捕集部６１との間には着脱可能な形態の第１連結管Ｌ１が形成され、
下部本体４１に形成された下部チャンバー３１とゼロガス供給部２０のゼロガス供給管２３との間には着脱可能な形態の第２連結管Ｌ２が形成されることを特徴とする、請求項３に記載の製品の汚染物質放出実験チャンバー装置。
【請求項７】
前記本体部４０に形成された上下部本体４１、４２には、チャンバー部３０の上下部チャンバー３１、３２と試料捕集部６１、６２の上下部試料捕集部６１、６２が一体型にまたは結合部材Ｊによって組立形態に結合されるように構成されることを特徴とする、請求項３に記載の製品の汚染物質放出実験チャンバー装置。
【請求項８】
前記本体部４０には、チャンバー部３０の温度を調節するための温度調節装置４３をさらに含んでなることを特徴とする、請求項１に記載の製品の汚染物質放出実験チャンバー装置。
【請求項９】
前記ライナー５０のライナー本体５３に設けられた製品試料装着部５２には多数の流動孔５２ａが構成されることを特徴とする、請求項１に記載の製品の汚染物質放出実験チャンバー装置。
【発明の詳細な説明】
【技術分野】
【０００１】
本発明は子供用品のように小型の製品試料を採取するための製品の汚染物質放出実験チャンバー装置に係り、より詳しくは製品試料の一部または全部をライナーに装着して製品試料内に含まれている揮発性有害物質を放出させて測定するように構成されて製品試料の測定を正確に行うことができ、チャンバー部に挿入されるライナーが挿入及び脱着可能な形態に構成され、多数のライナーに前もって製品試料を挿入した後、有害物質の測定が完了する時点にライナーのみを入れ替える方式で有害物質を測定するので、連続的な作業が可能であるだけでなく、ライナー及び第１及び第２連結管を形成して、本体部及び本体部に形成されたチャンバー部が有害物質に露出されないように構成され、有害物質測定の後、ライナー及び第１及び第２連結管を新しいものに入れ替えて製品試料の有害物質測定を行うので、洗浄による時間を縮めて有害物質測定作業を早く行うことができる製品の汚染物質放出実験チャンバー装置に関するものである。
【背景技術】
【０００２】
一般に、アパートのような建築物に使われる各種の建築材料、特に壁紙や床材のような建築用内装材や用箪のような内装家具及び冷蔵庫のような各種生活用品の場合には揮発性有機化合物やホルムアルデヒドのような有害物質を含んで室内空気を汚染させることになってシックハウス症候群（ＳＨＳ；Ｓｉｃｋ Ｈｏｕｓｅ Ｓｙｎｄｒｏｍｅ）及び多種化学物質過敏症（ＭＣＳ；Ｍｕｌｔｉｐｌｅ Ｃｈｅｍｉｃａｌ Ｓｅｎｓｉｔｉｖｉｔｙ）のような問題を引き起こすことになって人体に被害を与えると報告されている。
【０００３】
本発明に関連した従来技術としては、大韓民国特許公開第２００５−００８７５６１号（特許文献１）の建築資材の有害物質測定用試験機が開示されている。これは、図１に示したように、エア発生器１１１から外部空気を強制に吸入し、空気に含まれた各種の異物を多くのフィルターで段階別に除去して清浄な乾空気と湿空気をそれぞれ供給するクリーンエア供給器１１０と；このクリーンエア供給器１１０から発生した乾空気及び湿空気を吸入し、温度湿度ユニットセンサー１２１によって温度及び湿度をコントローラ１２２で表示するとともに制御する温度湿度ユニット１２０と；この温度湿度ユニット１２０を通過した乾空気と湿空気が配管を通じて流入し、中空の内部に建築材料試片Ａが密閉して内蔵された状態でクリーンエア供給器１１０側に換気され、室内と類似した環境を持つようにするセル１３０と；このセル１３０の内部と連通するように配管され、ＭＦＣポンプ１４１の作動によってセル１３０内部の空気を強制に排出させるとき、内部に満たされた吸着物質に各種の有害物質が吸着して捕集するようにする吸着管１４とからなり、前記クリーンエア供給器１１０と温度湿度ユニット１２０との間に渦流混合コイル１５０が設置されることで、乾空気と湿空気が完全に混合されるようになっている。
【先行技術文献】
【特許文献】
【０００４】
【特許文献１】大韓民国特許公開第２００５−００８７５６１号明細書
【発明の概要】
【発明が解決しようとする課題】
【０００５】
しかし、前記のような従来の建築資材の有害物質測定用試験機は、セル１３０の内部に製品試料Ａを挿入して測定した後、セル１３０の内部及び吸着管１４０を掃除することが非常に不便な問題点及びこれによって連続的な作業ができない問題点があった。
【課題を解決するための手段】
【０００６】
前記のような問題点を解決するための本発明の製品の汚染物質放出実験チャンバー装置は、制御部と；ゼロガス供給源と前記ゼロガス供給源から供給されるゼロガスの流量を調節するための流量調節バルブとゼロガス供給管を含むゼロガス供給部と；前記ゼロガス供給部のゼロガスを受けるチャンバー部と；前記チャンバー部の外側に設けられ、チャンバー部を取り囲む形態に形成される本体部と；前記チャンバー部の内部に挿入及び脱着可能に形成され、ゼロガス供給部のゼロガスを受けることができるように連結され、内側に製品試料が挿入される製品試料挿入部の内部に製品試料装着部が形成された上部の開放したライナー本体を備え、前記ライナー本体の上部にはライナーカバーが結合されたライナー５０と；前記本体部に結合され、チャンバー部に連結され、ライナーを通過する有害物質を含むゼロガスを受けて有害ガス量を測定するための吸収液が収納された吸水管または吸着剤が収納された吸着管のいずれか一つからなった試料捕集部と；を含んでなることを特徴とする。
【０００７】
本発明において、前記制御部は、ゼロガス供給部からチャンバー部に供給されるゼロガスを除湿、予熱及び流量調節バルブの制御によって流量調節することができるように制御ボタンを含むことを特徴とする。
【０００８】
本発明において、前記本体部は上下部本体から構成され、前記本体部に形成されるチャンバー部及び試料捕集部もそれぞれ上下部チャンバーと上下部試料捕集部から構成され、下部本体に形成された下部チャンバーとゼロガス供給部のゼロガス供給管を連結してゼロガスをライナーに供給するように構成され、前記上部本体と上部試料捕集部が連結されることで、ライナーを通過した有害物質を含んでいるゼロガスを受けることができるように構成されることを特徴とする。
【０００９】
本発明において、前記本体部の上部本体は、チャンバー部の上下部チャンバーにライナーを挿入及び脱着することができるように制御部とスライド手段によって上下方向に移動することができるように構成されることを特徴とする。
【００１０】
本発明において、前記本体部の上下部本体に結合されるチャンバー部の上下部チャンバーの間と試料捕集部の上下部試料捕集部の間にはテフロン素材のシーリング材をさらに含んでなることを特徴とする。
【００１１】
本発明において、本体部の上部本体と試料捕集部の上部試料捕集部との間には着脱可能な形態の第１連結管が形成され、下部本体に形成された下部チャンバーとゼロガス供給部のゼロガス供給管との間には着脱可能な形態の第２連結管が形成されることを特徴とする。
【００１２】
本発明において、前記本体部に形成された上下部本体には、チャンバー部の上下部チャンバーと試料捕集部の上下部試料捕集部が一体型にまたは結合部材によって組立形態に結合されるように構成されることを特徴とする。
【００１３】
本発明において、前記本体部には、チャンバー部の温度を調節するための温度調節装置をさらに含んでなることを特徴とする。
【００１４】
本発明において、前記ライナーは製品試料挿入部内部に製品試料装着部が形成された上部の開放したライナー本体が備えられ、前記ライナー本体の上部にはライナーカバーが結合されたことを特徴とする。
【００１５】
本発明において、前記ライナーのライナー本体に設けられた製品試料装着部には多数の流動孔が構成されることを特徴とする。
【発明の効果】
【００１６】
本発明は製品試料の一部または全部をライナーに装着し、製品試料内に含まれている揮発性有害物質を放出させて測定するように構成することにより、製品試料の測定を正確に行うことができる。
【００１７】
また、チャンバー部に挿入されるライナーが挿入及び脱着可能な形態に構成され、多数のライナーに前もって製品試料を挿入した後、有害物質の測定が完了する時点にライナーのみを入れ替える方式で有害物質の測定を行うので、連続的な作業が可能である。
【００１８】
特に、ライナー及び第１及び第２連結管を形成し、本体部及び本体部に形成されたチャンバー部が有害物質に露出されないように構成し、有害物質測定後、ライナー及び第１及び第２連結管を新しいものに入れ替えて製品試料の有害物質測定を行うので、洗浄による時間を縮めて有害物質測定作業を早く行うことができる有用な発明である。
【図面の簡単な説明】
【００１９】
【図１】従来の建築資材の有害物質測定用試験器機を示すブロック図である。
【図２】本発明による製品の汚染物質放出実験チャンバー装置を示す斜視図である。
【図３】図２のＡ−Ａ線についての断面図である。
【図４】ライナーを示す分解斜視図である。
【図５】図２のＢ−Ｂについての断面図である。
【図６】図２のＣ−Ｃについての断面図である。
【図７】本発明による本体部の他の実施例を示す断面図である。
【図８】図３の本体部が結合された状態を示す状態図である。
【図９】図７の本体部が結合された状態を示す状態図である。
【発明を実施するための形態】
【００２０】
以下、添付図面に基づいて本発明の構成をさらに詳細に説明する。
本発明は子供用品のように小型製品の有害物質を測定するためのものである。
【００２１】
したがって、本発明の構成要素であるゼロガス供給部２０、チャンバー部３０、本体部４０及び試料捕集部６０は従来の有害物質を測定するための試験装置より全体的に大きさが小さく形成される。
【００２２】
前述した構成要素の構成をさらに具体的に説明すれば、まず、ゼロガス供給部２０は、図２及び図３のように、ゼロガスを生成するためのゼロガス供給源２１を備え、前記ゼロガス供給源２１から生成したゼロガスを供給するためのゼロガス供給管２３が形成され、前記ゼロガス供給管２３内にはゼロガスの供給量を調節することができる流量調節バルブ２２を備えている。
【００２３】
前述したゼロガス供給部２０のゼロガス供給源２１は窒素、酸素などのガスからなった空気を吸入し、空気内に含まれている微量の化学物質を吸着剤（図示せず）などで除去する一般的な構成であるので、その詳細な説明は省略する。
【００２４】
特に、前記ゼロガス供給部２０は制御部１０に連結され、ゼロガス供給管２３に移動するゼロガスの除湿、予熱及び流量調節バルブ２２の制御によって流量を調節することができるように構成される。このような制御部１０には多数の制御ボタン１１を備えて、前述したゼロガスの制御を円滑に行うことができるように構成される。
【００２５】
次に、チャンバー部３０は、前記ゼロガス供給部２０のゼロガス供給管２３からゼロガスを受けることができるように構成される。したがって、前述したチャンバー部３０は全体的にゼロガスを収納することができる密閉した形態を維持し、一側にはゼロガス供給部２０のゼロガス供給管２３に連結することができる構造となっている。
【００２６】
次に、本体部４０は前記チャンバー部３０の外側に形成され、チャンバー部３０を取り囲む形態に構成される。このような本体部４０には温度調節装置４３がチャンバー部３０の温度を一定に維持することができるように構成される。
【００２７】
次に、ライナー５０は、前記チャンバー部３０の内部に結合され、製品試料が挿入される製品試料挿入部５１を含んでなる。このようなライナー５０は製品試料を直接収納するための構成のもので、チャンバー部３０に挿入及び脱着可能な形態に結合される。
【００２８】
特に、前記ライナー５０は、製品試料を装着した後、ゼロガスが通過しながら製品試料に含まれている有害物質を一緒に移動させることができるように構成されなければならないため、密閉した状態を維持しなければならない。したがって、前記ライナー５０は、図４のように、製品試料挿入部５１の内部に製品試料装着部５２が形成され、上部が開放した形態のライナー本体５３が形成され、前記ライナー本体５３の上部に開放部を塞ぐためのライナーカバー５４を備えている。
【００２９】
特に、前記製品試料装着部５２には、ゼロガスが流動することができるように、多数の流動孔５２ａが形成されている。このようなライナー５０は多様な素材から形成することができるが、有害物質が発生しないとともに内部の製品試料を肉眼で確認することができる透明素材のガラスから構成することが好ましい。
【００３０】
次に、試料捕集部６０は、ライナー５０の製品試料に含まれている有害物質を含むゼロガスを受けて製品試料の有害物質量を測定することができるように、内部に吸着液が含まれている吸水管または吸着剤が収納された吸着管のいずれか一つからなる。したがって、前記試料捕集部６０は、図５及び図６のように、チャンバー部３０内のライナー５０に連結された構造となる。
【００３１】
一方、本発明においては、前記ライナー５０を結合するために、本体部４０を分離して上下部本体４１、４２に構成し、前記本体４０に形成されるチャンバー部３０及び試料捕集部６０を上下部チャンバー３１、３２及び上下部試料捕集部６１、６２に分離して構成することもできる。
【００３２】
すなわち、本体部４０と本体部４０に形成されるチャンバー部３０及び試料捕集部６０をそれぞれ分離して形成し、ライナー５０をチャンバー部３０内部に挿入及び脱着可能に構成したものである。
【００３３】
この際、前記制御部１０と本体部４０の上部本体４１には楔形またはリニアベアリングのようなスライド手段Ｓを備えて、上部本体４１が通常の動力源（図示せず）によって上下方向に稼動するように構成することができる。
【００３４】
また、前記のように、本体部４０、チャンバー部３０及び試料捕集部６０を分離して構成する場合には、チャンバー部３０の上下部チャンバー３１、３２と試料捕集部６０の上下部試料捕集部６１、６２との間にシーリング材７０をさらに備えることができる。この際、前記シーリング材７０は密閉性に優れるとともに有害物質が放出されないテフロン素材から形成することが良い。
【００３５】
このような前記シーリング材７０は図面にはリング状に示したが、これに限定されないもので、上下部チャンバー３１、３２及び上下部試料捕集部６１、６２の内部を密閉するように形成することができれば、いずれの形態に形成されても関係ない。
【００３６】
一方、本発明は、本体部４０に形成されるチャンバー部３０を一体型の形態、または図７のように結合部材Ｊによって結合する形態に構成することができる。
【００３７】
ここで、前記チャンバー部３０が本体部４０と一体に形成された場合には、本体部４０の下側にゼロガス供給部２０の流量調節バルブ２２及びゼロガス供給管２３が露出された形態に構成するとか、図面に示されていないが、別箇の補助本体をさらに備えて仕上がり処理をすることができ、これとは異なり、チャンバー部３０が本体部４０に結合部材Ｊで結合された構造となったときには、下部本体４２の内部にゼロガス供給部２０の流量調節バルブ２２及びゼロガス供給管２３が挿入された形態に構成することができる。
【００３８】
また、本発明は、前記本体部４０の上部本体４１と試料捕集部６０の上部試料捕集部６１との間に着脱可能な形態に結合する第１連結管Ｌ１をさらに備え、本体部４０の下部本体４２に形成された下部チャンバー３２とゼロガス供給部２０のゼロガス供給管２３との間に着脱可能な形態の第２連結管Ｌ２を備えることができる。
【００３９】
前記のような構成となった本発明の製品の汚染物質放出実験チャンバー装置１００の好適な実施例を詳細に説明すれば次のようである。
【００４０】
本発明による製品の汚染物質放出実験チャンバー装置１００は、子供用品のように小型の製品試料に含まれている有害物質の量を検出するための装置である。すなわち、本発明の製品の汚染物質放出実験チャンバー装置１００の作動関係を簡単に説明すれば、本発明のライナー５０の内部に製品試料を収納し、本体部４０に形成されたチャンバー部３０に装着した後、ゼロガス供給部２０から供給されるゼロガスによってライナー５０の内部に収納された製品試料の有害物質が吸着液の収納された試料捕集部６０に移動してライナー５０の内部の有害物質の量を検出するように作用する。
【００４１】
この際、前記ゼロガス供給部２０は制御部１０の制御ボタンによってゼロガスの湿度、温度及び流量調節バルブ２２の制御で製品試料に送り出すのに適した形態のゼロガスを生成してライナー５０に送るように作用し、特に本体部４０には温度調節装置４３を備え、本体部４０の内部に形成されたチャンバー部３０の温度を調節して、製品試料内に含まれている有害物質の量を測定するための最適の条件で温度を調節するように作用する一般的な過程を経るようになる。
【００４２】
一方、前記のように製品試料をライナー５０の内部に収納する過程は子供用品の全部または一部を採取した製品試料をライナー５０に収納する。
【００４３】
すなわち、前記ライナー５０を構成しているライナー本体５３の製品試料挿入部５１に備えられた製品試料装着部５２に製品試料を収納した後、ライナー本体５３の上部にライナーカバー５４を被せて密閉状態で製品試料を収納することができるようになる。
【００４４】
この際、本発明は、製品試料を前述したようにライナー５０のライナー本体５３に設けられた製品試料装着部５２に前もって収納しておくことができる。
【００４５】
特に、前記のような構造となったライナー５０の製品試料装着部５２には多数の流動孔５２ａが形成されているので、ゼロガス供給部２０のゼロガス供給管２３を通じて供給されるゼロガスが製品試料を円滑に通過するように作用するものである。
【００４６】
一方、前記のように製品試料を収納したライナー５０は本体部４０の内部に形成されたチャンバー部３０に装着させる。
【００４７】
特に、本発明は、前述した本体部４０及びチャンバー部３０がそれぞれ上下部本体４１、４２及び上下部チャンバー３１、３２からなっている。
【００４８】
したがって、本発明のライナー５０を下部本体４２に形成された下部チャンバー３２に結合した後、本体部４０の上部本体４１を稼働して、上部本体４１に形成された上部チャンバー３１が本体部４０の下部本体４１と接触するように稼動することにより、上下部チャンバー３１、３２が密室状態を維持するように作用するようになる。
【００４９】
特に、前記上下部チャンバー３１、３２の間と本体部４０の上下部本体４１、４２に結合された試料捕集部６０の上下部試料捕集部６２の間にはシーリング材７０がそれぞれ形成されているので、前記のように本体部４０の上部本体４１が下部本体４２の方向に稼働終了するとき、チャンバー部３０及び試料捕集部６０の内部がいずれも密室状態を維持するように作用するようになる。
【００５０】
ここで、本発明のシーリング材７０は有害物質を含まないながらも密室状態を維持することができるテフロン素材からなっているので、密閉効果とともに追加の有害物質が放出しない効果によって製品試料内の有害物質検出の効率性を向上させるように作用する。
【００５１】
一方、本発明は、ライナー５０を結合するチャンバー部３０の下部チャンバー３１とゼロガス供給部２０のゼロガス供給管との間に第１連結管Ｌ１を備え、チャンバー部３０の上部チャンバー３２と試料捕集部６０の上部試料捕集部６１との間には第２連結管Ｌ２を結合することでライナー５０とチャンバー部３０との間を区画させるように構成されている。
【００５２】
したがって、ライナー５０に収納された製品試料から放出される有害物質がチャンバー部３０に露出されないように作用するので、製品試料から放出される有害物質がチャンバー部３０に影響を与えなくなる。
【００５３】
これは、本発明の製品の汚染物質放出実験チャンバー装置１００によって製品試料の有害物質の量を検出した後、さらに他の製品試料の有害物質の量を測定するとき、本体部４０内部のチャンバー３０内部の汚染物質除去作業が別に必要でないので、製品試料内の有害物質除去作業が連続的に行われるように作用する。
【００５４】
すなわち、本発明は、製品試料内部の有害物質を検査した後、さらに他の製品試料の有害物質量を検出しようとするとき、有害物質の量を検出するためにチャンバー部３０に挿入された既存のライナー５０と、前記チャンバー部３０とゼロガス供給管２３を連結する第１連結管Ｌ１及びチャンバー部３０と試料捕集部６０を連結する第２連結管Ｌ２をそれぞれ分離した後、新しい第１及び第２連結管Ｌ１、Ｌ２と新しい製品試料を収納したライナー６０をチャンバー部３０に結合すれば、連続的な作業が可能となる。
【００５５】
もちろん、前記のように分離された既存のライナー５０及び第１及び第２連結管Ｌ１、Ｌ２は、新しい製品試料を検査する過程で別に洗浄過程を遂行することにより、後に再びライナー５０及び第１及び第２連結管Ｌ１、Ｌ２を再使用するようにすることもできる。
【００５６】
前述したように、本発明は製品試料を収納するためのライナー５０を別に構成して製品試料を収納するので、本体部４０及び本体部３０に形成されるチャンバー部３０の内部に有害物質が放出されないように作用して、本体部４０及びチャンバー部３０の洗浄作業が別に必要でないようにして連続的な作業が行われることができる。
【００５７】
すなわち、ライナー５０に前もって製品試料を収納した状態で１次に製品試料の有害物質の量を測定した後、ライナー５０及び第１及び第２連結管Ｌ１、Ｌ２を分離した状態で、新たにライナー５０及び第１及び第２連結管Ｌ１、Ｌ２を装着することで連続的な作業を行うことができるようになるものである。
【００５８】
前述した実施例は本発明の好適な実施例を例示したもので、本発明はこれに限定されなくて本発明の技術的な思想から逸脱しない範疇内で多様な形態に変更して実施することができるのは本発明の技術分野の当業者に自明である。
【符号の説明】
【００５９】
Ｌ１    第１連結管
Ｌ２    第２連結管
Ｓ    スライド手段
Ｊ    結合部材
１０    制御部
１１    制御ボタン
２０    ゼロガス供給部
２１    ゼロガス供給源
２２    流量調節バルブ
２３    ゼロガス供給管
３０    チャンバー部
３１    上部チャンバー
３２    下部チャンバー
４０    本体部
４１    上部本体
４２    下部本体
４３    温度調節装置
５０    ライナー
５３    ライナー本体
５１    製品試料挿入部
５２    製品試料装着部
５２ａ    流動孔
５４    ライナーカバー
６０    試料捕集部
６１    上部試料捕集部
６２    下部試料捕集部
７０    シーリング材
１００    製品の汚染物質放出実験チャンバー装置
【図１】
0005747135.tif 000002
【図２】
0005747135.tif 000003
【図３】
0005747135.tif 000004
【図４】
0005747135.tif 000005
【図５】
0005747135.tif 000006
【図６】
0005747135.tif 000007
【図７】
0005747135.tif 000008
【図８】
0005747135.tif 000009
【図９】
0005747135.tif 000010